(57)【要約】【課題】遊技盤の広範な領域に渡って装飾効果を高めることが可能な遊技機を提供する。【解決手段】本発明に係る遊技機は、遊技球が転動流下する遊技領域２ａを有し、少なくとも一部が透光性を有する部材で構成された遊技盤２と、遊技盤２の背面側に配設され、装飾ＬＥＤ６５ｂ、および少なくとも一部が透光性を有する部材で構成されて装飾ＬＥＤ６５ｂを覆う装飾カバー６５ａを含む装飾ユニット６５とを備え、装飾ユニット６５は、装飾ＬＥＤ６５ｂの発する光が遊技盤２の前面側に到達可能な位置に配設されることを特徴とする。【選択図】図５
2007307146.tif 000002
【特許請求の範囲】
【請求項１】
遊技球が転動流下する遊技領域を有し、少なくとも一部が透光性を有する部材で構成された遊技盤と、
前記遊技盤の背面側に配設され、発光体、および少なくとも一部が透光性を有する部材で構成されて前記発光体を覆うカバー部材を含む装飾部材とを備え、
前記装飾部材は、前記発光体の発する光が前記遊技盤の前面側に到達可能な位置に配設される、
ことを特徴とする遊技機。
【請求項２】
前記遊技盤の背面側に配設されたスペーサと、
前記スペーサの背面に配設され、所定の演出画像を表示する表示装置とを備え、
前記装飾部材は、前記スペーサに配設され、
前記スペーサの少なくとも一部は、透光性を有する部材で構成された、
ことを特徴とする請求項１記載の遊技機。
【請求項３】
前記装飾部材におけるカバー部材の少なくとも一部には、光を拡散させる拡散部が設けられた、
ことを特徴とする請求項１または２に記載の遊技機。
【請求項４】
前記遊技盤における遊技領域には、遊技球の入賞が可能な入賞装置が配置され、
前記装飾部材は、前記入賞装置の背面側に位置するように配設された、
ことを特徴とする請求項１〜３の何れか一項に記載の遊技機。
【請求項５】
前記装飾部材における前記カバー部材の少なくとも一部は、半透明の部材で構成された、
ことを特徴とする請求項１〜４の何れか一項に記載の遊技機。
【発明の詳細な説明】
【技術分野】
【０００１】
本発明は、遊技機に関し、特に遊技盤を装飾する装飾部材を備えたパチンコ遊技機に関するものである。
【背景技術】
【０００２】
従来より、パチンコ遊技機、アレンジボール機等の各種の弾球遊技機では、遊技盤の盤面上に、遊技球が転動流下する遊技領域が設けられており、そして、その遊技領域内には、釘、風車、各種入賞装置（例えば、一般入賞装置、大入賞装置、始動入賞装置等）、ＬＥＤ等から構成され遊技盤を装飾する装飾部材等が配置されていた（例えば、特許文献１，２参照）。
【０００３】
なお、上記装飾部材は、始動入賞装置の近傍や遊技領域の端部等に配置されるケースが一般的である。
【特許文献１】特開平０７−３３３８７号公報
【特許文献２】特開平０７−３１３６６６号公報
【発明の開示】
【発明が解決しようとする課題】
【０００４】
しかしながら、特許文献１，２の遊技盤では、遊技領域において、少なくとも上述した入賞装置等が配置される領域や遊技球が流下するための領域等を確保せねばならず、装飾部材を配置可能な領域が限られていた。
【０００５】
そのため、遊技盤の装飾効果は、場所を選ばす装飾部材を配置できる台枠に比べると高いとは言い難かった。
【０００６】
そこで、本発明は、遊技盤の広範な領域に渡って装飾効果を高めることが可能な遊技機を提供する。
【課題を解決するための手段】
【０００７】
上記課題を解決するため、請求項１に記載の本発明の遊技機は、遊技球が転動流下する遊技領域（遊技領域２ａ）を有し、少なくとも一部が透光性を有する部材で構成された遊技盤（遊技盤２）と、遊技盤の背面側に配設され、発光体（装飾ＬＥＤ６５ｂ）、および少なくとも一部が透光性を有する部材で構成されて発光体を覆うカバー部材（装飾カバー６５ａ）を含む装飾部材（装飾ユニット６５）とを備え、装飾部材は、発光体の発する光が遊技盤の前面側に到達可能な位置に配設されることを特徴とする。
【０００８】
本構成によれば、遊技盤の少なくとも一部を透光性を有する部材で構成させているので、光の照射により遊技盤を装飾する装飾部材を遊技盤の背面側に配設したとしても、当該装飾部材の発する光が上記透光性を有する部材を介して遊技盤の前面に到達するようになる。つまり、本発明によれば、装飾部材を、その大きさや、遊技領域における空きスペース等に縛られずに、遊技盤の背面側において自由に配置することができ、遊技盤の広範な領域に渡って装飾効果を高めることが可能となる。
【０００９】
請求項２に記載の本発明は、請求項１に記載の発明の構成に加えて、遊技盤の背面側に配設されたスペーサ（スペーサ１０）と、スペーサの背面に配設され、所定の演出画像を表示する表示装置（液晶表示装置２１）とを備え、装飾部材は、スペーサに配設され、スペーサの少なくとも一部は、透光性を有する部材で構成されたことを特徴とする。
【００１０】
本構成によれば、遊技盤、スペーサおよび装飾部材におけるカバー部材は、少なくとも一部が透光性を有する部材で構成されているので、所定の演出画像を表示する表示装置をこれら遊技盤、スペーサおよび装飾部材の背面側に配設したとしても、当該表示装置に表示される演出画像を、上記遊技盤、スペーサおよび装飾部材の前面から視認することが可能となる。つまり、本発明によれば、表示装置を、その大きさ、遊技領域やスペーサにおける空きスペース、装飾部材の大きさ等に縛られずに、スペーサの背面側において自由に配置することができ、遊技盤の演出効果を高めることができる。
【００１１】
請求項３に記載の本発明は、請求項１または２に記載の発明の構成に加えて、装飾部材におけるカバー部材の少なくとも一部には、光を拡散させる拡散部（拡散部６５ａｃ）が設けられたことを特徴とする。
【００１２】
本構成によれば、この拡散部によって、発光体の発する光を拡散させることができるので、当該光を視認できる範囲を拡大させることができ、装飾効果をより高めることができる。
【００１３】
請求項４に記載の本発明は、請求項１〜３の何れか一項に記載の発明の構成に加えて、遊技盤における遊技領域には、遊技球の入賞が可能な入賞装置（電動役物構成部材１８）が配置され、装飾部材は、入賞装置の背面側に位置するように配設されたことを特徴とする。
【００１４】
本構成によれば、光の照射により遊技盤を装飾する装飾部材は、入賞装置の背面側に位置するように配設されているので、当該入賞装置の装飾効果をより高めることができる。
【００１５】
請求項５に記載の本発明は、請求項１〜４の何れか一項に記載の発明の構成に加えて、装飾部材におけるカバー部材の少なくとも一部は、半透明の部材で構成されたことを特徴とする。
【００１６】
本構成によれぱ、装飾部材におけるカバー部材の少なくとも一部は、半透明の部材で構成されているため、装飾効果を高める塗装等が表面に施されていない部材（例えば、カバー部材に覆われる発光体の本体部分や基板、カバー部材の背面に配設された基板や部材等）等を隠蔽することができ、装飾効果の低下を防ぐことができる。
【発明の効果】
【００１７】
本発明によれば以下の効果を奏することができる。
【００１８】
すなわち、本発明によれば、遊技盤の広範な領域に渡って装飾効果を高めることが可能となる。
【発明を実施するための最良の形態】
【００１９】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２０】
図１は本実施の形態に係る遊技機を示す斜視図、図２は図１に示した遊技機の分解斜視図、図３は背面側にスペーサが配設された遊技盤を示す斜視図、図４は背面側にスペーサが配設された遊技盤を示す正面図、図５は図３に示す遊技盤において電動役物構成部材を取り除いた状態を示す説明図、図６は図４に示す遊技盤において電動役物構成部材を取り除いた状態を示す説明図、図７は図４に示す遊技盤を背面側から見た説明図、図８は本実施の形態に係るスペーサを示す斜視図、図９は図８に示すスペーサを背面側から見た説明図、図１０は本実施の形態に係る装飾ユニットを示す斜視図、図１１は本実施の形態に係る装飾カバーを示す斜視図、図１２は図１０に示す装飾カバーの背面図、図１３は本実施の形態に係る装飾ユニットを上方から見た断面図である。
【００２１】
図１および図２に示すように、パチンコ遊技機（遊技機）１は、遊技盤２（図２）が装着されるとともに、前面に開口３ａａが形成された本体枠３ａと、その本体枠３ａにおける開口３ａａの内部に配設される各種の部品と、遊技盤２の前面側を視認可能に被うガラス板４ａが嵌め込まれたガラス扉４と、本体枠３ａの後方に配置され、島設備に固定される外枠３ｂとから構成されている。
【００２２】
なお、本体枠３ａは、その一方端が、ヒンジ（図示せず）を介して外枠３ｂに回動可能に取り付けられるようになっており、これら本体枠３ａおよび外枠３ｂで遊技機本体３が構成されている。そして、このような遊技機本体３の本体枠３ａの前面には、スピーカ８ａ，８ｂ、上述したガラス扉４、皿ユニット５、および発射ハンドル７が配設されている。
【００２３】
これらガラス扉４および皿ユニット５は、その一端が遊技機本体３に回動可能に軸支されており、他端が遊技機本体３に係合するようになっている。これにより、通常、ガラス扉４は遊技盤２の前面（主面）に対面閉鎖した状態で遊技が行われる。
【００２４】
本体枠３ａの開口３ａａの内部には、後述するように、演出画像（例えば、遊技状態に対応したアニメーションやその他の報知情報など）等を表示可能な表示領域２１ａを有する液晶表示装置２１、スペーサ１０、遊技盤２等が配設されている。なお、遊技盤２、スペーサ１０、液晶表示装置２１以外の各種の部品（図示せず）については、理解を容易にするために説明を省略する。
【００２５】
遊技盤２は、光を透過する透光性を有する板形状の樹脂（透光性を有する部材）によって形成されている。この透光性を有する部材としては、例えば、アクリル樹脂、ポリカーボネート樹脂、メタクリル樹脂など各種の材質が該当する。また、遊技盤２は、ガラス扉４におけるガラス板４ａと対向する主面側に、発射された遊技球の転勤流下が可能な遊技領域２ａを有している。この遊技領域２ａは、レール６に囲まれ、遊技球の転勤流下が可能な領域である。
【００２６】
遊技領域２ａは、図２乃至図４に示すように、レール６に包囲されており、多数の遊技くぎや風車などの障害物（図示せず）や、始動ゲート１５、一般入賞口１１、大入賞口１３、アウト口１４、始動ゲート１５、ワープ口１６、始動口１２および普通電動役物１７を有する電動役物構成部材（入賞装置）１８などの遊技部材が配置されている。
【００２７】
スペーサ１０は、遊技盤２の後方（背面側）に配設されるとともに、液晶表示装置（表示装置）２１の前方（前面側）に配設される。つまり、スペーサ１０は、遊技盤２と液晶表示装置２１によって扶持される。このスペーサ１０は、透光性を有した部材で形成されており、中央に大きな貫通孔１０ａが設けられている。そして、スペーサ１０は、貫通孔１０ａに、装飾ＬＥＤ（発光体）６５ａおよびＬＥＤ基板６５ｃを覆う装飾カバー（カバー部材）６５ａを含む装飾ユニット（装飾部材）６５、遊技に関する所定の情報を報知する電飾ユニット２６等が納められるような厚みを提供する。
【００２８】
さらにスペーサ１０において、貫通孔１０ａの下方には、装飾ユニット６５を配設可能な載置部１０ｃが設けられているとともに、載置部１０の後方には、当該載置部１０ｃに配設された装飾ユニット６５の転倒を防ぐとともに、内部に遊技球が流下する流路が形成された裏通路部１０ｂが設けられている。
【００２９】
また、スペーサ１０の背面には、上述した液晶表示装置２１が配置されている。なお、液晶表示装置２１の表示領域２１ａは、所定の演出画像（例えば、装飾図柄が変動表示する演出画像等）を表示する領域である。
【００３０】
また、遊技盤２およびスペーサ１０が透光性を有した部材で形成された本実施の形態では、液晶表示装置２１の表示領域２１ａが遊技盤２およびスペーサ１０を通して視認可能に配置されている。ここで、液晶表示装置２１にかえて、例えばＣＲＴ（陰極線管）あるいはプラズマディスプレイ等を用いることもできる。
【００３１】
さらに、本実施の形態では、遊技盤２およびスペーサ１０が透光性を有しているため、遊技盤２の前面からは、スペーサ１０に配置された部材（例えば、装飾ユニット６５等）を視認可能であるとともに（図３乃至図６参照）、スペーサ１０の背面からは、遊技盤２の遊技領域２ａに配置された部材（例えば、始動ゲート１５、ワープ口１６等）を視認可能である（図７参照）。
【００３２】
ここで、一般入賞口１１は、遊技球が入賞すると所定の数の遊技球が払い戻される装置、通過ゲート１３は、遊技球が通過したことを契機として、電飾ユニット２６における普通図柄を変動および停止させるための装置、大入賞口１３は、電飾ユニット２６における特別図柄や液晶表示装置２１における装飾図柄が、それぞれ予め設定された態様で停止し、そして、これに伴い特別遊技状態に移行した場合に開放状態となる装置である。
【００３３】
ワープ口１６は、流入した遊技球を、遊技盤２の背面側に配置されているワープ球通路１６ａへと導く装置である。
【００３４】
ワープ球通路１６ａに導かれた遊技球は、ワープ球通路１６ａを転動流下し、始動口１２の上方に位置するワープ出口１６ｂから排出される。つまり、ワープ口１６に流入した遊技球は、ワープ球通路１６ａによって始動口１２へと案内される。また、本実施の形態のワープ出口１６ｂの位置は、遊技領域２ａのほぼ中央である。
【００３５】
ここで、ワープ球通路１６ａは、遊技盤２の背面側において、透光性を有する遊技盤２の前方から視認可能に配置されている（図２、図３および図５参照）。また、当該ワープ球通路１６ａは、少なくとも一部が透光性を有している。
【００３６】
普通電動役物１７は、遊技球を受け入れる受け入れ口１７ａを有しており、遊技球を受け入れ易い状態と、遊技球を受け入れ難い状態との間で切換可能な開閉機構を備えた装置である。この普通電動役物１７は、通常の状態では遊技球を受け入れ難い状態となっており、所定の条件が成立した場合（例えば、電飾ユニット２６における普通図柄が、「当り」を意味する態様で停止した場合）に、所定時間（例えば、０．３秒間）だけ開いて遊技球を受け入れ易い状態に切り換えられる。
【００３７】
また、始動口１２および上記普通電動役物１７の受け入れ口１７ａは、遊技球が入賞すると電飾ユニット２６における特別図柄や、液晶表示装置２１における装飾図柄が、それぞれ変動および停止する契機となる装置である。さらに、始動口１２や受け入れ口１７ａに遊技球が入賞すると所定の数の遊技球が払い戻されるようになっている。
【００３８】
アウト口１４は、遊技領域２ａの最下位置付近に設けられ、当該最下位置付近に流下してきた遊技球が入球するようになっている。
【００３９】
すなわち、アウト口１４は、一般入賞口１１、大入賞口１３、始動口１２、普通電動役物１７の受け入れ口１７ａの何れにも入賞しなかった遊技球が流入して回収される装置である。
【００４０】
ガラス扉４の下方には、図１に示すように皿ユニット５が配置されている。皿ユニット５の上部に、払い出された遊技球および遊技領域２ａに打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの所定の位置に、遊技終了時などにおいて上皿５ａに貯留された遊技球を下皿５ｂに移動させて取り出す場合に操作されるシャッタレバー８が設けられている。
【００４１】
下皿５ｂの右側には、レール６を介して遊技領域２ａへ遊技球を発射する際に回動操作される発射ハンドル７が設けられている。発射ハンドル７には遊技球の発射を停止するストップボタン（図示せず）が設けられている。
【００４２】
そして、遊技者が上記発射ハンドル７を回動して打ち出し操作をすることにより、上皿５ａ中の遊技球が、発射球供給装置（図示せず）により本体枠３ａの背面に配設された発射装置（図示せず）に供給されて、当該発射装置によりレール６に沿って遊技領域２ａに発射される。
【００４３】
次に、本発明の要部である装飾ユニット６５について説明する。
【００４４】
装飾ユニット６５は、図１０乃至図１３に示すように、発光体である装飾ＬＥＤ６５ｂと、当該装飾ＬＥＤ６５ｂを発光させるＬＥＤ基板６５ｃと、装飾ＬＥＤ６５ｂおよびＬＥＤ基板６５ｃを覆う装飾カバー６５ａとを有しており、装飾ＬＥＤ６５ｂからの光の照射により遊技盤２を装飾する部材である。
【００４５】
装飾カバー６５ａは、図５乃至図１３に示すように、ほぼ中央位置に上方に向かって隆起した本体部６５ａｈが形成され、当該本体部６５ａｈには、電動役物構成部材１８の背面側が差し込まれる貫通孔６５ａａが形成されている。また、上記本体部６５ａｈの両側には、外方に向うほど低くなる段差が形成された腕部６５ａｉ，６５ａｊが設けられている。
【００４６】
貫通孔６５ａａの上方には、当該貫通孔６５ａａに差し込まれる電動役物構成部材１８と嵌合する凸部６５ａｄが設けられている。貫通孔６５ａａに差し込まれる電動役物構成部材１８は、この凸部６５ａと嵌合することによって、装飾ユニット６５の前方に、より確実に固定される。
【００４７】
ここで、電動役物構成部材１８は、遊技盤２の前面側から、遊技盤２におけるワープ出口１６ｂの下方に設けられている電動役物構成部材差込孔２ｃ（図５〜図７、および図１３参照）に部材の一部が差し込まれるようになっており、そして、電動役物構成部材差込孔２ｃに差し込まれた部材は、装飾カバー６５ａの中央に形成された貫通孔６５ａａ（図５〜図１３）に嵌め込まれるようになっている。すなわち、本実施の形態における装飾ユニット６５は、入賞装置である電動役物構成部材１８の背面側に位置するように載置部１０ｃに配設されている。このように、光の照射により遊技盤２を装飾する装飾ユニット６５は、入賞装置である電動役物構成部材１８の背面側に位置するように配設されているので、当該電動役物構成部材１８の装飾効果をより高めることができる。
【００４８】
装飾カバー６５ａの背面側には、装飾ＬＥＤ６５ｂおよびＬＥＤ基板６５ｃを収容するための空間が形成されている。また、装飾カバー６５ａにおける背面側の右端下部からは、ＬＥＤ基板６５ｃを搭載可能な基板ベース６５ａｂが、左方へと延びて形成されている（図１２参照）。
【００４９】
本実施の形態においては、装飾ＬＥＤ６５ｂを搭載するＬＥＤ基板６５ｃを、当該装飾ＬＥＤ６５ｂを搭載する側の面を装飾カバー６５ａに向けた状態で上記基板ベース６５ａｂに搭載することにより、装飾ＬＥＤ６５ｂおよびＬＥＤ基板６５ｃにおける装飾ＬＥＤ６５ｂを搭載する側の面を装飾カバー６５ａにて覆うことができる（図９および図１０参照）。
【００５０】
さらに、装飾カバー６５ａにおける背面側の右端下部および左端下部には、それぞれ、ネジ孔６５ａｆ、ネジ孔６５ａｅが形成され、ＬＥＤ基板６５ｃが基板ベース６５ａｂに搭載される際には、当該ネジ孔６５ａｆ、６５ａｅに、ＬＥＤ基板６５ｃの右側および左側にそれぞれ形成されたネジ孔（図示せず）を介して、ネジ等が固定される。
【００５１】
また、装飾カバー６５ａは、光を透過する透光性を有する部材で形成されているため（なお、この透光性を有する部材としては、例えば、アクリル樹脂、ポリカーボネート樹脂、メタクリル樹脂など各種の材質が該当する）、装飾カバー６５ａに覆われた装飾ＬＥＤ６５ｂが発する光を、遊技盤２へ到達させることが可能となっている。
【００５２】
さらに、装飾カバー６５ａの裏面のうち、基板ベース６５ａｂと対向する側の面（すなわち、基板ベース６５ａｂに搭載されるＬＥＤ基板６５ｃにおける装飾ＬＥＤ６５ｂと対向する側の面）には、凹凸が生じるように面取りされた拡散部６５ａｃが形成されている。
【００５３】
ここで、当該拡散部６５ａｃは、上記凹凸によって光を屈折させる作用を有している。そのため、装飾ＬＥＤ６５ｂの発する光は、当該拡散部６５ａｃを透過する際、上記凹凸により複雑に屈折し、図１３に示すように拡散する。
【００５４】
具体的には、装飾ＬＥＤ６５ｂの発する光は、図１３に示すとおり、まず拡散部６５ａｃを透過する際に拡散され、そして、拡散された光が、装飾カバー６５ａ、遊技盤２などの透光性を有する部分を透過して、遊技盤２の前面側に到達する。
【００５５】
このように、拡散部６５ａｃによって、装飾ＬＥＤ６５ｂの発する光を拡散させることができるので、当該光を視認できる範囲を拡大させることができ、装飾効果をより高めることができる（図１３参照。なお、図中において、符号７０は遊技者の目を示す。）。
【００５６】
さらに本実施の形態において、装飾カバー６５ａの裏面のうち、上部および左右に位置する面には、湾曲形状の突起６５ａｇが連続して形成されている（図１２参照）。この突起６５ａｇによっても光を屈折させる凹凸が生じてるため、装飾カバー６５ａの裏面のうち上部および左右に位置する面を透過する光をも拡散させることができる。
【００５７】
基板ベース６５ａｂの右端には、スペーサ１０にネジ止めされるためのネジ孔６５ａｂａが設けられてる。
【００５８】
本実施の形態においては、基板ベース６５ａｂの右端に形成されているネジ孔６５ａｂａを介して、スペーサ１０に形成されているネジ孔（図示せず）にネジ等を固定することにより、装飾ユニット６５をスペーサ１０の載置部１０ｃに配設することができる（図７および図９参照）。但し、装飾ユニット６５をスペーサ１０に配設する技術はこれに限定されず、例えば、ピン等により配設してもよいし、装飾ユニット６５をスペーサ１０に係止させることによって配設してもよい。また、接着により配設してもよい。
【００５９】
以上、本発明の実施の形態を説明したが、これは本発明を具体的に例示したに過ぎず、特に本発明を限定するものではない。
【００６０】
また、本実施の形態においては、光の照射により遊技盤２を装飾する装飾ユニット６５が、入賞装置である電動役物構成部材１８の背面側に位置するように配設された例をあげているが、これに限られず、装飾ユニット６５は、他の装置（例えば、遊技くぎ、風車、ガイドレール６、始動ゲート１５、一般入賞口１１、大入賞口１３、アウト口１４、始動ゲート１５、ワープ口１６等）の背面側に位置するように配設されていてもよいし、前方に遊技部材が配置されていない位置に配設されていてもよい。この場合、電動役物構成部材１８の背面側を差し込むための貫通孔６５ａａを形成させなくともよく、装飾ユニット６５の製造工程を削減することができる。また、貫通孔６５ａａを形成させなければ、その分装飾カバー６５ａの面積を増加させることができ、装飾効果を高めることができる。
【００６１】
さらに、装飾ユニット６５は、遊技盤２の背面側を覆い尽くすように配設されていてもよい。この場合であっても、遊技領域２ａにおける遊技球の転動や遊技部材の配置を妨げることなく装飾効果を高めることができる。また、たとえ遊技盤２の背面側を覆い尽くすように装飾ユニット６５を配設したとしても、装飾カバー６５ａが透光性を有しているため、液晶表示装置２１における表示領域２１ａの視認を妨げる虞もない。
【００６２】
また装飾ユニット６５が配設される位置は、装飾ＬＥＤ６５ｂの発する光が遊技盤２の前面側に到達可能な位置であればよい。すなわち、たとえ装飾ユニット６５が遊技盤２における透光性を有する部分の背面側でなくとも、装飾ＬＥＤ６５ｂの発する光が遊技盤２の前面側に到達することが可能な位置であればよい。
【００６３】
さらに本実施の形態における装飾ユニット６５は、スペーサ１０に配設されていたが、本発明はこれに限られず、遊技盤２の背面側に配設されるようになっていてもよい。
【００６４】
また、本実施の形態においては、装飾ＬＥＤ（発光体）６５ｂとしてＬＥＤ（発光ダイオード）が用いられているが、本発明は装飾ＬＥＤ（発光体）６５ｂがＬＥＤであることに限定されるものではない。例えば、装飾ＬＥＤ（発光体）６５ｂとしてランプを採用してもよい。
【００６５】
ここで、装飾カバー６５ａは、透明の部材で構成されていてもよいが、半透明の部材で構成されていてもよい。装飾カバー６５ａが半透明の部材で構成された場合、当該半透明の部材によって、装飾カバー６５ａに覆われた部材および装飾カバー６５ａの背面側に位置する部材を隠蔽することが可能となる。これにより、装飾効果を高めるための細工が施されていない部材（例えば、装飾カバー６５ａに覆われる装飾ＬＥＤ６５ｂの本体部分、ＬＥＤ基板６５ｃおよび装飾カバー６５ａの背面に配設される基板や部材等の、装飾効果を高めるための塗装等が表面に施されていない部材）等を隠蔽することができ、装飾効果の低下を防ぐことができる。
【００６６】
さらに、本実施の形態において装飾カバー６５ａの裏面には、光を拡散させるために、拡散部６５ａｃや突起６５ａｇが形成されていたが、本発明はこれに限られず、これら拡散部面６５ａｃや突起６５ａｇは、装飾カバー６５ａの表面に形成されていてもよい。
【００６７】
また、本実施の形態では、光を拡散させるために、装飾カバー６５ａに拡散部６５ａｃや突起６５ａｇを形成させていたが、本発明はこれに限られず、他の技術により光を拡散させるようにしてもよい。例えば、装飾カバー６５ａを、光の屈折パターンが異なる部材を貼り合わせて構成させることによって光を屈折させて拡散させるようにしてもよいし、当該装飾カバー６５ａに、手で触ってざらざらする程度の凹凸が多数形成されたシールを貼着することにより、光を屈折させて拡散させるようにしてもよい。または、装飾カバー６５ａの表面もしくは裏面にダイヤカットを施すことにより、光を屈折させて拡散させるようにしてもよい。
【００６８】
また、装飾カバー６５ａの形状は、本実施の形態にて説明した形状に限られず、他の形状であってもよい。
【００６９】
以上説明したように、本実施の形態によれば、遊技盤２の少なくとも一部を透光性を有する部材で構成させているので、光の照射により遊技盤２を装飾する装飾ユニット（装飾部材）６５を遊技盤２の背面側に配設したとしても、当該装飾ユニット６５の発する光が上記透光性を有する部材を介して遊技盤２の前面に到達するようになる。つまり、本発明によれば、装飾ユニット６５を、その大きさや、遊技領域２ａにおける空きスペース等に縛られずに、遊技盤２の背面側において自由に配置することができ、遊技盤２の広範な領域に渡って装飾効果を高めることが可能となる。
【００７０】
また、本実施の形態によれば、遊技盤２、スペーサ１０および装飾ユニット６５におけるカバー部材６５ａは、少なくとも一部が透光性を有する部材で構成されているので、所定の演出画像を表示する液晶表示装置（表示装置）２１をこれら遊技盤２、スペーサ１０および装飾ユニット６５の背面側に配設したとしても、当該液晶表示装置２１に表示される演出画像を、上記遊技盤２、スペーサ１０および装飾ユニット６５の前面から視認することが可能となる。つまり、本発明によれば、液晶表示装置２１を、その大きさ、遊技領域２ａやスペーサ１０における空きスペース、装飾ユニット６５の大きさ等に縛られずに、スペーサ１０の背面側において自由に配置することができ、遊技盤２の演出効果を高めることができる。
【００７１】
さらに、本実施の形態によれば、装飾カバー６５ａにおける拡散部６５ａｃによって、装飾ＬＥＤ６５ｂの発する光を拡散させることができるので、当該光を視認できる範囲を拡大させることができ、装飾効果をより高めることができる。
【００７２】
また、本実施の形態によれば、光の照射により遊技盤２を装飾する装飾ユニット６５は、電動役物構成部材（入賞装置）１８の背面側に位置するように配設されているので、当該電動役物構成部材１８の装飾効果をより高めることができる。
【産業上の利用可能性】
【００７３】
以上の説明においては、本発明をパチンコ遊技機本体が遊技台に取り付けられた遊技機に適用した場合が説明されているが、本発明はこれに限定されるものではなく、パチスロ機、雀球、スマートボールあるいはゲームセンターに設置された各種ゲーム機など、種々の遊技機に適用することが可能である。
【図面の簡単な説明】
【００７４】
【図１】本実施の形態に係る遊技機を示す斜視図である。
【図２】図１に示した遊技機の分解斜視図である
【図３】背面側にスペーサが配設された遊技盤を示す斜視図である。
【図４】背面側にスペーサが配設された遊技盤を示す正面図である。
【図５】図３に示す遊技盤において電動役物構成部材を取り除いた状態を示す説明図である。
【図６】図４に示す遊技盤において電動役物構成部材を取り除いた状態を示す説明図である。
【図７】図４に示す遊技盤を背面側から見た説明図である。
【図８】本実施の形態に係るスペーサを示す斜視図である。
【図９】図８に示すスペーサを背面側から見た説明図である。
【図１０】本実施の形態に係る装飾ユニットを示す斜視図である。
【図１１】本実施の形態に係る装飾カバーを示す斜視図である。
【図１２】図１０に示す装飾カバーの背面図である。
【図１３】本実施の形態に係る装飾ユニットを上方から見た断面図である。
【符号の説明】
【００７５】
１  パチンコ遊技機（遊技機）
２  遊技盤
２ａ  遊技領域
２ｃ  電動役物構成部材差込孔
３  遊技機本体
３ａ  本体枠
３ｂ  ベース枠
４  ガラス扉
４ａ  ガラス板
５  皿ユニット
５ａ  上皿
５ｂ  下皿
６  レール
７  発射ハンドル
８  シャッタレバー
８ａ，８ｂ  スピーカ
１０  スペーサ
１０ａ  貫通孔
１０ｂ  裏通路部
１０ｃ  載置台
１１  一般入賞口
１２  始動口
１３  大入賞口
１４  アウト口
１５  始動ゲート
１６  ワープ口
１６ａ  ワープ球通路
１６ｂ  ワープ出口
１７  普通電動役物
１７ａ  受け入れ口
１８  電動役物構成部材（入賞装置）
２１  液晶表示装置（表示装置）
２１ａ  表示領域
２６  電飾ユニット
６５  装飾ユニット（装飾部材）
６５ａ  装飾カバー（カバー部材）
６５ａａ  貫通孔
６５ａｂ  基板ベース
６５ａｂａ  ネジ孔
６５ａｃ  拡散部
６５ａｄ  凸部
６５ａｅ，６５ａｆ  ネジ孔
６５ａｇ  突起
６５ａｈ  本体部
６５ａｉ，６５ａｊ  腕部
６５ｂ  装飾ＬＥＤ（発光体）
６５ｃ  ＬＥＤ基板
７０  遊技者の目
【図１】
2007307146.tif 000003
【図２】
2007307146.tif 000004
【図３】
2007307146.tif 000005
【図４】
2007307146.tif 000006
【図５】
2007307146.tif 000007
【図６】
2007307146.tif 000008
【図７】
2007307146.tif 000009
【図８】
2007307146.tif 000010
【図９】
2007307146.tif 000011
【図１０】
2007307146.tif 000012
【図１１】
2007307146.tif 000013
【図１２】
2007307146.tif 000014
【図１３】
2007307146.tif 000015